(57)【要約】【課題】表示装置２０の表示部２１を後方から臨ませる開口部３３が開設されたケーシング３０を遊技盤１に設けた遊技機において、遊技者の興趣を向上させる。【解決手段】遊技盤１に対して固定されるベース部材３６と、開口部３３の上方におけるベース部材３６の前方に設けられ、ベース部材３６から前方に突出するように設けられた第１回動軸５１によって回動自在に支持され、回動自由端を開口部３３の前方に臨ませて表示部２１の一部を遮蔽した表示部遮蔽状態に回動可能な表示部遮蔽部材４１と、表示部遮蔽部材４１の回動自由端側からベース部材３６側に突出するように設けられた第２回動軸５２によって回動自在に支持され、表示部遮蔽部材４１の裏側に隠れたオブジェクト遮蔽状態と、表示部遮蔽部材４１から露出したオブジェクト露出状態と、に回動可能なオブジェクト４２と、をケーシング３０に設ける。【選択図】図８
2007125122.tif 000002
【特許請求の範囲】
【請求項１】
表示装置の表示部を後方から臨ませる開口部が開設されたケーシングを遊技盤に設け、前記表示部に表示される変動表示ゲームの停止表示態様が特別表示態様となった場合に、遊技者が所定の利益を獲得可能な特別遊技状態を発生させる遊技機において、
前記ケーシングは、
遊技盤に対して固定されるベース部材と、
前記開口部の上方における前記ベース部材の前方に設けられ、該ベース部材から前方に突出するように設けられた第１回動軸によって前記ベース部材に対して回動自在に支持され、回動自由端を前記開口部の上方に退避させた表示部露出状態と、回動自由端を前記開口部の前方に臨ませて前記表示部の少なくとも一部を遮蔽した表示部遮蔽状態と、に回動可能な表示部遮蔽部材と、
該表示部遮蔽部材の回動自由端側から前記ベース部材側に突出するように設けられた第２回動軸によって前記表示部遮蔽部材に対して回動自在に支持され、前記表示部遮蔽部材の裏側に隠れたオブジェクト遮蔽状態と、前記表示部遮蔽部材から露出したオブジェクト露出状態と、に回動可能なオブジェクトと、
を有することを特徴とする遊技機。
【請求項２】
前記表示部遮蔽部材の裏側には、前記オブジェクトを挟んで該表示部遮蔽部材に対して対向配置された回動ベースが固定され、
前記ベース部材には、前記表示部遮蔽部材を駆動するための回転駆動力を出力する遮蔽部材駆動源を設け、該遮蔽部材駆動源の出力軸上に遮蔽部材主動ギヤを直結し、
前記回動ベースには、
該回動ベースに固定されて、前記遮蔽部材主動ギヤを介して出力される前記遮蔽部材駆動源の回転駆動力を、該回動ベースを介して前記表示部遮蔽部材に伝達する遮蔽部材従動ギヤと、
前記回動ベースに固定されて、前記オブジェクトを駆動するための回転駆動力を出力するオブジェクト駆動源と、
該オブジェクト駆動源の出力軸上に直結されたオブジェクト主動ギヤと、
前記第２回動軸に固定され、前記オブジェクト主動ギヤを介して出力される前記オブジェクト駆動源の回転駆動力を、前記第２回動軸を介して前記オブジェクトに伝達するオブジェクト従動ギヤと、を設け、
前記オブジェクト駆動源を、前記回動ベースにおける前記第２回動軸よりも前記第１回動軸に近い位置に配置するとともに、
前記回動ベースとベース部材との間に付勢部材を懸架して、前記表示部遮蔽部材の回動自由端側を上方に付勢したことを特徴とする請求項１に記載の遊技機。
【請求項３】
前記オブジェクトは、前記オブジェクト遮蔽状態においては、磁力によって前記オブジェクト遮蔽状態の定位置に保持される構成としたことを特徴とする請求項２に記載の遊技機。
【請求項４】
前記オブジェクトの回動可能角度が無制限とされていることを特徴とする請求項１〜３の何れかに記載の遊技機。
【発明の詳細な説明】
【技術分野】
【０００１】
本発明は、パチンコ機などの遊技機に関する。
【背景技術】
【０００２】
従来の遊技機、例えばパチンコ遊技機では、遊技盤の遊技領域の略中央に開口を形成し、遊技盤の開口裏面側に表示装置を配設し、遊技盤の前面側に画像表示装置の表示部が臨む表示用開口窓部を形成したセンターケースを配設したものが知られている。この種の遊技機は、センターケースの下方に設けられた始動入賞口などの入賞領域への入賞を条件として前記表示部における変動表示遊技を行い、その結果態様が予め定めた特別表示態様となった場合に、遊技者が所定の利益を獲得可能な特別遊技状態（例えば、いわゆる大当り状態）を発生させる。
これに関連する技術として、例えば特許文献１には、表示装置の表示部を露出させたり遮蔽したり変化させて、演出効果を向上させる開閉扉装置が提案されている。
【０００３】
【特許文献１】特開２００４−２７５５８５号公報
【発明の開示】
【発明が解決しようとする課題】
【０００４】
ところで、近頃では上記特許文献１に記載の開閉扉装置と同様の技術を搭載した遊技機が多数市場投入されており、単に表示部を露出させたり遮蔽したり変化させただけでは遊技者の興趣を充分に満足させ得なくなっている。
そこで本発明は、遊技者の興趣を充分に満足させ得る遊技機の提供を目的とする。
【課題を解決するための手段】
【０００５】
本願請求項１に記載の遊技機は、表示装置の表示部を後方から臨ませる開口部が開設されたケーシングを遊技盤に設け、前記表示部に表示される変動表示ゲームの停止表示態様が特別表示態様となった場合に、遊技者が所定の利益を獲得可能な特別遊技状態を発生させる遊技機において、
前記ケーシングは、
遊技盤に対して固定されるベース部材と、
前記開口部の上方における前記ベース部材の前方に設けられ、該ベース部材から前方に突出するように設けられた第１回動軸によって前記ベース部材に対して回動自在に支持され、回動自由端を前記開口部の上方に退避させた表示部露出状態と、回動自由端を前記開口部の前方に臨ませて前記表示部の少なくとも一部を遮蔽した表示部遮蔽状態と、に回動可能な表示部遮蔽部材と、
該表示部遮蔽部材の回動自由端側から前記ベース部材側に突出するように設けられた第２回動軸によって前記表示部遮蔽部材に対して回動自在に支持され、前記表示部遮蔽部材の裏側に隠れたオブジェクト遮蔽状態と、前記表示部遮蔽部材から露出したオブジェクト露出状態と、に回動可能なオブジェクトと、を有することを特徴とする。
【０００６】
なお、本発明の好ましい態様として、例えば請求項２に記載のように、前記表示部遮蔽部材の裏側には、前記オブジェクトを挟んで該表示部遮蔽部材に対して対向配置された回動ベースが固定され、
前記ベース部材には、前記表示部遮蔽部材を駆動するための回転駆動力を出力する遮蔽部材駆動源を設け、該遮蔽部材駆動源の出力軸上に遮蔽部材主動ギヤを直結し、
前記回動ベースには、
該回動ベースに固定されて、前記遮蔽部材主動ギヤを介して出力される前記遮蔽部材駆動源の回転駆動力を、該回動ベースを介して前記表示部遮蔽部材に伝達する遮蔽部材従動ギヤと、
前記回動ベースに固定されて、前記オブジェクトを駆動するための回転駆動力を出力するオブジェクト駆動源と、
該オブジェクト駆動源の出力軸上に直結されたオブジェクト主動ギヤと、
前記第２回動軸に固定され、前記オブジェクト主動ギヤを介して出力される前記オブジェクト駆動源の回転駆動力を、前記第２回動軸を介して前記オブジェクトに伝達するオブジェクト従動ギヤと、を設け、
前記オブジェクト駆動源を、前記回動ベースにおける前記第２回動軸よりも前記第１回動軸に近い位置に配置するとともに、
前記回動ベースとベース部材との間に付勢部材を懸架して、前記表示部遮蔽部材の回動自由端側を上方に付勢した構成としてもよい。
なお、遮蔽部材主動ギヤと遮蔽部材従動ギヤ、或いはオブジェクト主動ギヤとオブジェクト従動ギヤは、直接かみ合わせて連結するようにしてもよいが、中間ギヤを一つ又は複数設けて、この中間ギヤを介して連結するようにしてもよい。
【０００７】
また、例えば請求項３に記載のように、前記オブジェクトは、前記オブジェクト遮蔽状態においては、磁力によって前記オブジェクト遮蔽状態の定位置に保持される構成としてもよい。
また、例えば請求項４に記載のように、前記オブジェクトの回動可能角度が無制限とされた構成としてもよい。
【発明の効果】
【０００８】
請求項１に記載の遊技機によれば、表示部遮蔽部材を表示部遮蔽状態に作動させて表示装置の表示部を少なくとも部分的に遮蔽する演出ができるのに加えて、表示部遮蔽部材の後方に隠れていたオブジェクトを、表示部遮蔽部材の回動軸（第１回動軸）とは異なる回動軸（表示部遮蔽部材の回動自由端側から突出するように設けられた第２回動軸）を中心とした回動によって表示部遮蔽部材から露出させるという斬新な演出が可能となる。このため、従来よりも遊技の興趣を格段に向上させることができ、遊技者の興趣を充分に満足させ得る。
特に請求項４に記載の構成では、オブジェクトの回動可能角度が無制限とされている。即ち、オブジェクトを３６０°以上回動させることが可能である。このため、例えばオブジェクトをぐるぐる複数回一方向に回転させるといった、ダイナミックで斬新な演出も可能であり、遊技者の興趣を大きく向上できる。
【０００９】
また、請求項２に記載の遊技機によれば、遮蔽部材駆動源やオブジェクト駆動源の回転駆動力をギヤによって駆動対象（表示部遮蔽部材、或いはオブジェクト）に確実に伝達する構成としたから、表示部遮蔽部材やオブジェクトの動作を的確に制御できる利点がある。即ち、遮蔽部材駆動源の回転駆動力は、遮蔽部材主動ギヤから遮蔽部材従動ギヤに伝達され、遮蔽部材従動ギヤから回動ベースへ、さらには回動ベースに固定された表示部遮蔽部材へと伝達されて、表示部遮蔽部材が確実に駆動され、その動作が的確に制御できる。また、オブジェクト駆動源の回転駆動力は、オブジェクト主動ギヤからオブジェクト従動ギヤに伝達され、オブジェクト従動ギヤから第２回動軸へ、さらには第２回動軸に固定されたオブジェクトへと伝達されて、オブジェクトが確実に駆動され、その動作が的確に制御できる。
【００１０】
しかも、請求項２に記載の遊技機によれば、重量が比較的大きなオブジェクト駆動源を、回動ベースにおける第２回動軸よりも第１回動軸に近い位置に配置した。これにより、遮蔽部材駆動源の負荷となる慣性モーメントが軽減される。また、回動ベースとベース部材との間に付勢部材を懸架して、表示部遮蔽部材の回動自由端側を上方に付勢した構成となっている。このため、遮蔽部材駆動源の負荷トルクが相殺又は軽減されて、遮蔽部材駆動源の小型化や、表示部遮蔽部材の動作の高速化・安定化が図れる。特に付勢部材の作用によって、遮蔽部材駆動源が表示部遮蔽部材の回動自由端側を上方に向かって駆動する駆動トルクが軽減でき、その方向（表示部遮蔽部材を表示部露出状態に戻す方向）の動作の高速化等が図れる。
【００１１】
また、請求項３に記載の遊技機によれば、オブジェクトが磁力によってオブジェクト遮蔽状態の定位置に保持される構成とした。このため、オブジェクトを駆動するギヤ（オブジェクト主動ギヤやオブジェクト従動ギヤ）のバックラッシによる
オブジェクトの垂れ下がりを、オブジェクトの動作を規制しないで防止できる。
なお、単純にオブジェクト駆動源の回転制御によってオブジェクトの位置制御を行うだけでは、上記ギヤのバックラッシ分だけオブジェクトの位置にばらつきが生じることになり、オブジェクト遮蔽状態の回転位置にオブジェクト駆動源を制御しているにもかかわらず、場合によっては重力によってオブジェクトがオブジェクト遮蔽状態の定位置から下方にずれてしまう（表示部を一部遮蔽してしまう）恐れがあり、このような状態が上記垂れ下がりである。本発明であると、磁力によって、オブジェクトがオブジェクト遮蔽状態の定位置に確実に保持されるため、上記垂れ下がりが生じない。
また、例えばオブジェクトに当接してオブジェクトの垂れ下がりを防止するストッパーを設けた場合には、オブジェクトの動作を規制することになり、例えばオブジェクトを３６０°以上回動自在とすることが困難になる。しかし本例であると、上記ストッパーのような手段ではなく、磁力によって非接触で（即ち、回動方向に当接しない構成で）オブジェクトを上記定位置に保持する構成であるため、オブジェクトの動作を規制せず、オブジェクトを３６０°以上回動させることも容易に可能である。
【発明を実施するための最良の形態】
【００１２】
以下、本発明の実施の形態として、パチンコ装置に適用した場合の形態例を、図面を参照して説明する。
Ａ．遊技盤の全体構成
図１は本形態例のパチンコ機の遊技盤１の前面図である。また図２は、遊技盤１の前面側斜視図である。また図３は、遊技盤１から後述のセンターケース１０を取り外した状態を示す斜視図である。図１において、符号１は遊技盤であり、前面の略円形領域がガイドレール２で囲まれることにより遊技領域３が形成されている。
【００１３】
遊技盤１の前面には、図１に示すように、アウト球流入口４、センターケース１０、普通電動役物タイプの始動口（始動入賞口）１１、変動入賞装置１２、一般入賞口１３〜１６、普図表示器１７、普図記憶表示器１８、普図始動ゲート１９、多数の障害釘（図示省略）などが設けられている。
【００１４】
センターケース１０は、遊技盤１の裏側に取り付けられる表示装置２０（図３等に示す）の表示部２１の前面周囲を囲む部材である。図３に示すように、遊技盤１を構成する基板（いわゆるベニヤ）には、センターケース１０をはめ込むためのセンターケース用開口５が形成され、センターケース１０は、遊技盤１の前面からこのセンターケース用開口５にはめ込まれて取り付けられる。このセンターケース１０は、後述するケーシング３０の表示用開口部３３を介して表示装置２０の表示部２１を前面から視認可能とする窓用開口部１０ａを、内側に有する。
【００１５】
このセンターケース１０は、内側の窓用開口部１０ａの底部に、遊技球が転動可能な遊技球転動面１０ｂ（いわゆる球見せ用のステージ）が形成されている。
このセンターケース１０の左側部には、遊技球をセンターケース１０内に誘導するワープ誘導部１０ｃが設けられている。このワープ誘導部１０ｃには、例えばセンターケース１０の上に流下して左に流れ落ちた遊技球等が、図示しない障害釘に当って、ある程度の確率で流入するようになっている。また、このように流入した遊技球は、ワープ誘導部１０ｃから、遊技球転動面１０ｂ上に流下する構成となっている。
【００１６】
また、センターケース１０の下端中央（始動口１１の真上位置）には、始動入賞誘導口１０ｄが形成されている。前記遊技球転動面１０ｂ上に流下した遊技球のうちの一部は、この始動入賞誘導口１０ｄから排出され、始動口１１へ誘導される（即ち、高確率で始動口１１に流入する）構成となっている。なお、遊技球転動面１０ｂに流下し、始動入賞誘導口１０ｄから排出されなかった遊技球は、遊技球転動面１０ｂの前端縁から下方に流下するが、この場合は、始動口１１に入賞する確率は比較的低い。
【００１７】
次に表示装置２０は、数字や文字などの識別情報（場合により特図という）を表示可能な表示部２１（画面）が形成された表示ユニット１００（例えば、液晶表示装置よりなるもので、詳細は後述する）を内蔵し、複数列の特図を表示可能である。例えば、左側と中央と右側に特図を縦３列に表示し、各列において数字や文字等よりなる特図を停止状態で表示（停止表示）したり、あるいは変動状態（例えば、縦方向にスクロールする状態）で表示（即ち、変動表示）したりすることが可能である。また、表示部２１には、上記特図とは別個に背景画像やキャラクタ画像などの演出用又は情報報知用の画像が表示可能である。表示装置２０の詳細構造は、後述する。
また、変動入賞装置１２は、後述する大当りになったことを条件として開放される大入賞口１２ａを有する装置である。
また、始動口１１は、後述するように特図の始動口として機能する入賞口であり、入賞口としての開口部分の開度を変化させる開閉部材１１ａを有する。この始動口１１は、センターケース１０の中央部下方に配置されている。
【００１８】
Ｂ．表示装置の周辺構成
次に、本例の表示装置２０の周辺構成について、図４，図５を参照して説明する。図４は、センターケース１０を取り外した遊技盤１から表示装置２０等を取り外した状態を示す斜視図である。図５は、表示装置２０とケーシング３０を示す斜視図である。
表示装置２０の前面側には、遊技盤１の裏面側に取り付けられるケーシング３０が設けられている。またケーシング３０の下方には、球寄せ部材２２が脱着可能に設けられ、この球寄せ部材２２の裏側（表示装置２０の下方）には、制御ユニット２３が脱着可能に設けられている。
球寄せ部材２２は、遊技盤１の裏側下部に配置されて、各入賞口や入賞装置に入賞した遊技球（入賞球）を、誘導してパチンコ機下方に回収するための部材である。
また制御ユニット２３は、遊技進行のための制御や遊技機全体の統括的制御を行う遊技制御装置等を内蔵するユニットである。
【００１９】
次にケーシング３０は、図５に示す如く、外側のケーシング本体３１と、このケーシング本体３１内に取り付けられるケーシング内部ユニット３２とよりなる。また、ケーシング内部ユニット３２は、ケーシング右上側ユニット３２ａと、ケーシング左下側ユニット３２ｂとよりなる。
ここで、ケーシング本体３１は、表示部２１よりも大きな開口面積で前後に開口した部材であり、遊技盤１の裏面側（前述のセンターケース用開口５の周囲）に固定される部材である。
【００２０】
また、ケーシング内部ユニット３２は、表示部２１が臨む矩形の表示用開口部３３（図５に示す）を有し、ケーシング本体３１の内周部に固定される。このケーシング内部ユニット３２の左下側を構成するケーシング左下側ユニット３２ｂは、ケーシング本体３１内の左辺側と下辺側に配置される左下側ベース部材３４や、この左下側ベース部材３４の前面に取り付けられた装飾部材３５などを備える。また、ケーシング内部ユニット３２の右上側を構成するケーシング右上側ユニット３２ａは、ケーシング本体３１内の右辺側と上辺側に配置される右上側ベース部材３６を有する。ここで、ケーシング右上側ユニット３２ａは、後述するように表示部遮蔽部材４１やオブジェクト４２を有するユニットであり、その詳細は、後述する。
なお、表示用開口部３３の周縁は、左下側ベース部材３４や右上側ベース部材３６（或いはそれらに固定される装飾部材）の内縁によって構成されている。そして表示装置２０は、この表示用開口部３３にその表示部２１が臨むように配設されて、ケーシング本体３１の後面側に予め固定される。
【００２１】
Ｃ．ケーシング右上側ユニットの構成
次に、ケーシング右上側ユニット３２ａの構成について、図６〜図１２を参照して説明する。図６は、ケーシング右上側ユニット３２ａの後述する表示部露出状態（オブジェクト遮蔽状態）を示す正面図である。図７は、ケーシング右上側ユニット３２ａの後述する表示部遮蔽状態（オブジェクト遮蔽状態）を示す正面図である。図８は、ケーシング右上側ユニット３２ａの後述する表示部遮蔽状態（オブジェクト露出状態）を示す正面図である。図９は、ケーシング右上側ユニット３２ａの後述する表示部露出状態（オブジェクト遮蔽状態）を示す斜視図である。図１０は、ケーシング右上側ユニット３２ａの右上側ベース部材３６から表示部遮蔽部材４１等を取り外した状態を示す斜視図である。図１１は、表示部遮蔽部材４１等の分解斜視図である。図１２は、後述する回動ベース４３やオブジェクト駆動機構４７の分解斜視図である。
【００２２】
ケーシング右上側ユニット３２ａは、図９や図１０に示すように、右上側ベース部材３６と、表示部遮蔽部材４１と、オブジェクト４２と、回動ベース４３と、遮蔽部材駆動源４４と、遮蔽部材駆動機構４５と、オブジェクト駆動源４６と、オブジェクト駆動機構４７（図１２に示す）と、付勢部材４８と、装飾部材４９ａ〜４９ｄと、第１回動軸５１（図１０及び図１１に示す）と、第２回動軸５２（図１１に示す）と、を備える。なお、第１回動軸５１と第２回動軸５２は、その軸方向が前後方向に配置される。
【００２３】
ここで、右上側ベース部材３６は、ケーシング本体３１を介して遊技盤１に対して固定される部材であり、全体として上辺部と右辺部とよりなるＬ字形の板状部材であって、その上辺部は表示用開口部３３の上方（表示部２１の上方）に配置され、その右辺部は表示用開口部３３の右方（表示部２１の右方）に配置される（図６参照）。この右上側ベース部材３６の上辺部の基端側（右端側）には、筒状のボス５３（第１回動軸５１の後端を貫通状態に保持する部分）が前後方向に向けて形成されている。また、このボス５３の左右両側には、円弧状のガイド用長穴５４，５５が形成されている。これらガイド用長穴５４，５５は、図１０に示すガイドピン５６，５７が貫通状態とされる前後方向に貫通した長穴であり、ボス５３の中心軸を中心とする円弧状の形状となっている。また、右上側ベース部材３６におけるボス５３の下方には、配線（オブジェクト駆動源４６の電線等）を前から後に引き出すことを可能とする配線用開口５８が形成されている。
【００２４】
なお、第１回動軸５１の後端は、上記ボス５３の内側の軸受け穴５３ａ内に挿入され、この第１回動軸５１の後端外周と軸受け穴５３ａの内周の間には、すべり軸受けとしてのブッシュ５１ａが前後両側にはめ込まれ、さらに第１回動軸５１の後端（後側のブッシュ５１ａよりも後端側）には、抜け止め用の止め輪（図示省略）が装着される構造となっている。この構造によって、第１回動軸５１の後端は、上記軸受け穴５３ａに対して回動可能に取り付けられている。また、第１回動軸５１は、右上側ベース部材３６から前方に突出するように設けられる。
【００２５】
次に表示部遮蔽部材４１は、右上側ベース部材３６の上辺部の前方（前記表示用開口部３３の上方）に配置され、前面側に演出用のキャラクタの絵などが描かれた横長矩形板状の部材であり、内部には前面側を照らすバックライト用の発光素子や光学系部品（図示省略）が設けられている。この表示部遮蔽部材４１は、図１１に示すように、前側部材４１ａと後側部材４１ｂとよりなる。ここで、後側部材４１ｂの右端部には、第１回動軸５１の前端が固定されるボス５９が形成されている。また、後側部材４１ｂの左端部には、第２回動軸５２の前端が挿入される軸受け穴６０が設けられている。
【００２６】
なお、第２回動軸５２の前端は上記軸受け穴６０内に挿入され、この第２回動軸５２の前端外周と軸受け穴６０の内周の間には、すべり軸受けとしてのブッシュ６１がはめ込まれ、さらに第２回動軸５２の前端（ブッシュ６１よりも前端側）には、抜け止め用の止め輪（図示省略）が装着される構造となっている。この構造によって、第２回動軸５２の前端は、上記軸受け穴６０に対して（即ち、表示部遮蔽部材４１に対して）回動可能に取り付けられている。
また表示部遮蔽部材４１は、後述するように、第１回動軸５１を中心として（即ち、前述のボス５３を中心として）、右上側ベース部材３６に対して回動するため、この場合、この表示部遮蔽部材４１の左端側が、回動自由端側となる。そして、第２回動軸５２は、この表示部遮蔽部材４１の回動自由端側（左端側）から後方に（即ち、右上側ベース部材３６側に）突出するように配設される。
【００２７】
次にオブジェクト４２は、演出用の装飾などが施された部材（或いは、キャラクタを模した人形）であり、表示部遮蔽部材４１の後方（回動ベース４３の前方）に配置される。このオブジェクト４２の基端には、第２回動軸５２を貫通させる筒状のボス６２が形成されている。また、このオブジェクト４２の中間部の後面側には、磁石６３が固定されている。なお、このオブジェクト４２は、接着又は圧入又はネジ止め等によってボス６２が第２回動軸５２に固定されることによって、第２回動軸５２と一体に回動する。
【００２８】
次に回動ベース４３は、オブジェクト４２を挟んで表示部遮蔽部材４１の裏側に対向配置された横長板状の部材である。この回動ベース４３の右端側には、第１回動軸５１が貫通するボス６４が形成されている。また、この回動ベース４３の左端には、第２回動軸５２の後端が挿入される軸受け６５が形成されている。
なお、第２回動軸５２の後端は、上記軸受け６５内を貫通し、回動ベース４３の後面から若干突出し、後述するオブジェクト従動ギヤ７４（図１２に示す）の中心の穴に挿入され、オブジェクト従動ギヤ７４に対して固定される。また、第２回動軸５２の後端（前記オブジェクト従動ギヤ７４よりもさらに後端側）には、抜け止め用の止め輪（図示省略）が装着される構造となっている。
また、回動ベース４３の裏面側における、前述のガイド用長穴５４，５５に対応する位置には、前述のガイドピン５６，５７の前端が固定されている。なお、ガイドピン５６，５７の後端は、前述のガイド用長穴５４，５５内にそれぞれ挿入され、これらガイドピン５６，５７の後端外周とガイド用長穴５４，５５の内周の間には、すべり軸受けとしてのブッシュ６６，６７（図１０に示す）が前後両側にはめ込まれ、さらにガイドピン５６，５７の後端（後側のブッシュ６６，６７よりも後端側）には、抜け止め用の止め輪（図示省略）が装着される構造となっている。
【００２９】
このような構造によって、第２回動軸５２の後端は、回動ベース４３に対して回動可能に取り付けられている。
また、回動ベース４３と表示部遮蔽部材４１には、二本の軸（即ち、第１回動軸５１と第２回動軸５２）が貫通しているため、これら回動ベース４３と表示部遮蔽部材４１は、相互に固定された状態（一体に回動する状態）となっている。したがって、表示部遮蔽部材４１と回動ベース４３は、第１回動軸５１の回動を伴って、第１回動軸５１を中心として、右上側ベース部材３６に対して一体的に回動可能となっている。いいかえると、表示部遮蔽部材４１と回動ベース４３は、第１回動軸５１によって右上側ベース部材３６に対して回動自在に支持されている。なお、上記二本の軸以外にも、回動ベース４３と表示部遮蔽部材４１を相互に固定する部材を設けてもよい。また、表示部遮蔽部材４１と回動ベース４３が回動する際には、ガイドピン５６，５７の後端がガイド用長穴５４，５５に沿って移動することによって、安定的な回転動作が実現される。
またオブジェクト４２は、第２回動軸５２の回動に伴い、回動ベース４３や表示部遮蔽部材４１に対して、第２回動軸５２と一体的に回動する。即ちオブジェクト４２は、第２回動軸５２によって表示部遮蔽部材４１や回動ベース４３に対して回動自在に支持されている。
【００３０】
次に遮蔽部材駆動源４４は、表示部遮蔽部材４１を駆動するための回転駆動力を出力する例えばパルスモータであり、図９に示すように、右上側ベース部材３６の上辺部と右辺部が交差する角部（右上側）の裏側に、出力軸を前方に向けて固定されている。この遮蔽部材駆動源４４の出力軸は、右上側ベース部材３６に設けられた開口３６ａから前方に突出している。
【００３１】
次に遮蔽部材駆動機構４５は、遮蔽部材駆動源４４の出力軸上に直結された遮蔽部材主動ギヤ６８と、回動ベース４３の右端面に形成された遮蔽部材従動ギヤ６９と、右上側ベース部材３６に回転自在に取り付けられた中間ギヤ７０とよりなる。ここで、中間ギヤ７０は、一方で遮蔽部材主動ギヤ６８と噛み合い、他方で遮蔽部材従動ギヤ６９と噛み合っており、遮蔽部材主動ギヤ６８の回転を遮蔽部材従動ギヤ６９に伝達している。また、遮蔽部材従動ギヤ６９は、遮蔽部材主動ギヤ６８を介して出力される遮蔽部材駆動源４４の回転駆動力を、中間ギヤ７０を介して受け取り、回動ベース４３に伝達する。これによって、遮蔽部材駆動源４４の作動によって、回動ベース４３とともに表示部遮蔽部材４１が回動する構成となっている。
【００３２】
なお、遮蔽部材駆動源４４の出力軸の回転は、上記各ギヤのギヤ比の設定によって、減速されて回動ベース４３に伝達される構成となっており、これによって遮蔽部材駆動源４４に加わる負荷トルクが低減されている。
また、回動ベース４３と表示部遮蔽部材４１の回動角度範囲は、この場合前述のガイド用長穴５４，５５によって制限されているが、回動ベース４３と表示部遮蔽部材４１は、少なくとも、回動自由端（左端）を表示用開口部３３の上方（表示部２１の上方）に退避させた表示部露出状態（図６に示す）と、回動自由端を表示用開口部３３の前方（表示部２１の前方）に臨ませて表示部２１の一部を遮蔽した表示部遮蔽状態（図７に示す）と、を実現できる範囲で回動可能となっている。
【００３３】
また、右上側ベース部材３６には、図９に示すように、回動ベース４３と表示部遮蔽部材４１の回動位置を検知するためのセンサ７１が設けられている。センサ７１は、回動ベース４３の右端から前面側に突出するように形成された板状の被検出部７２を検出するものである。このセンサ７１の出力に基づいて遮蔽部材駆動源４４を制御することによって、回動ベース４３と表示部遮蔽部材４１の位置制御（少なくとも、前述した表示部露出状態又は表示部遮蔽状態に動かし、必要に応じてその状態に維持する制御）が為される構成となっている。
【００３４】
次にオブジェクト駆動源４６は、オブジェクト４２を駆動するための回転駆動力を出力する例えばパルスモータであり、図１１や図１２に示すように、回動ベース４３の右端側（第１回動軸５１が貫通するボス６４の下方近く）の前面に、出力軸を後方に向けて固定されている。このオブジェクト駆動源４６の出力軸は、回動ベース４３に設けられた開口（図示省略）から後方に突出している。また、このオブジェクト駆動源４６は、回動ベース４３における第２回動軸５２よりも第１回動軸５１に近い位置（この場合、第１回動軸５１の下方近傍）に配置されている。
【００３５】
次にオブジェクト駆動機構４７（図１２に示す）は、オブジェクト駆動源４６の出力軸上に直結されたオブジェクト主動ギヤ７３と、第２回動軸５２の後端に固定されたオブジェクト従動ギヤ７４と、回動ベース４３に回転自在に取り付けられた第１中間ギヤ７５、第２中間ギヤ７６、第３中間ギヤ７７とよりなる。このオブジェクト駆動機構４７の各ギヤは、回動ベース４３の後面側に配置されている。
ここで、第１中間ギヤ７５は、一方でオブジェクト主動ギヤ７３と噛み合い、他方で第２中間ギヤ７６と噛み合っており、オブジェクト主動ギヤ７３の回転を第２中間ギヤ７６に伝達している。また、第２中間ギヤ７６は、一方で第１中間ギヤ７５と噛み合い、他方で第３中間ギヤ７７と噛み合っており、第１中間ギヤ７５の回転を第３中間ギヤ７７に伝達している。また、第３中間ギヤ７７は、一方で第２中間ギヤ７６と噛み合い、他方でオブジェクト従動ギヤ７４と噛み合っており、第２中間ギヤ７６の回転をオブジェクト従動ギヤ７４に伝達している。
また、オブジェクト従動ギヤ７４は、オブジェクト主動ギヤ７３を介して出力されるオブジェクト駆動源４６の回転駆動力を、各中間ギヤを介して受け取り、第２回動軸５２を介してオブジェクト４２に伝達する。これによって、オブジェクト駆動源４６の作動によって、第２回動軸５２とともにオブジェクト４２が回動する構成となっている。
【００３６】
なお、オブジェクト従動ギヤ７４とオブジェクト主動ギヤ７３の位置を離間させ、複数の中間ギヤで連結しているのは、次の理由による。即ち、オブジェクト４２のダイナミックな動きを実現すべく、オブジェクト４２の回動軸（第２回動軸５２）を第１回動軸５１からは離れた回動ベース４３の左端位置とし、一方では、遮蔽部材駆動源４４の負荷を軽減すべく、重いオブジェクト駆動源４６を第１回動軸５１の近くに配置したからである。
また、オブジェクト４２の回動角度範囲は、この場合機構的には無制限であり、オブジェクト４２は、オブジェクト駆動源４６の回転方向に任意の角度又は回転数だけ回転可能である。この場合、オブジェクト４２は、少なくとも、表示部遮蔽部材４１の裏側に隠れたオブジェクト遮蔽状態（図６や図７に示す）と、表示部遮蔽部材４１から露出したオブジェクト露出状態（図８に示す）と、に制御される。
【００３７】
また、回動ベース４３の後面側には、図１２に示すように、オブジェクト４２の回動位置を検知するためのセンサ７８が設けられている。センサ７８は、オブジェクト主動ギヤ７３の外周から後面側に突出するように形成された被検出部７９を検出するものである。このセンサ７８の出力に基づいてオブジェクト駆動源４６を制御することによって、オブジェクト４２の位置制御（少なくとも、前述したオブジェクト露出状態又はオブジェクト遮蔽状態に動かし、必要に応じてその状態に維持する制御）が為される構成となっている。
また、この回動ベース４３の中間部の内部には、磁石８０が固定されている。この磁石８０は、後面側から回動ベース４３内に装着され、保持部材８１によって後面を押されて固定されている。また、この磁石８０は、オブジェクト遮蔽状態の定位置にあるオブジェクト４２の磁石６３に対向する位置に配置され、磁石６３と磁力で相互に引き合う構成となっている。これにより、オブジェクト４２は、オブジェクト遮蔽状態においては、上記磁力によってオブジェクト遮蔽状態の定位置に保持される構成となっている。
【００３８】
次に付勢部材４８は、回動ベース４３と右上側ベース部材３６との間に懸架され、表示部遮蔽部材４１や回動ベース４３の回動自由端側（この場合、左端側）を上方に付勢するコイルバネ（引張りバネ）である。図９や図６に示すように、回動ベース４３の前面において、第１回動軸５１が貫通するボス６４の右斜め下側の位置には、付勢部材４８を構成するコイルバネの一端が取り付けられるバネ取付突起８２が形成されている。また図６に示すように、右上側ベース部材３６の前面において、上記バネ取付突起８２よりも下方位置（若干右斜め下方位置）には、付勢部材４８を構成するコイルバネの他端が取り付けられるバネ取付部８３が設けられている。
【００３９】
このように取り付けられた付勢部材４８は、その張力が、回動ベース４３や表示部遮蔽部材４１を前面から見て時計方向に回動させる力のモーメントを生じさせる。特に、回動ベース４３や表示部遮蔽部材４１が、表示部露出状態から反時計方向に回動して表示部遮蔽状態に向かって動くにつれ、図７に示す如く付勢部材４８（コイルバネ）の長さが伸びて、付勢部材４８の張力が増大し、上記力のモーメントが増大する構成となっている。なお、この付勢部材４８による上記力のモーメントは、回動ベース４３や表示部遮蔽部材４１などの重量（重心位置は第１回動軸５１よりも左側）によって生じる遮蔽部材駆動源４４の負荷トルク（静的負荷トルク）、或いはさらに、回動ベース４３や表示部遮蔽部材４１などを時計方向に回動させる際の遮蔽部材駆動源４４の負荷トルク（動的負荷トルク）を相殺又は軽減し、遮蔽部材駆動源４４の小型化や、表示部遮蔽部材４１を表示部露出状態に戻す動作の高速化に貢献する。
【００４０】
次に装飾部材４９ａ〜４９ｄは、右上側ベース部材３６の右辺部（遮蔽部材駆動機構４５の下方）に設けられたもので、前面側に演出用のキャラクタの絵などが描かれた部材であり、内部には前面側を照らすバックライト用の発光素子や光学系部品（図示省略）が設けられていてもよい。
【００４１】
Ｄ．表示装置の構造
次に、表示装置２０の構造について、図１３〜図１６により説明する。
図１３は、後述する表示装置カバー９０から表示ユニット１００を取り外した状態を示す斜視図である。図１４は、表示ユニット１００の分解斜視図である。図１５は、後述する液晶表示パネル１０２とベースカバー１０３とシールド部材１０４を示す分解斜視図である。図１６は、後述するベースカバー１０３とシールド部材１０４を示す分解斜視図である。なお図１６は、ベースカバー１０３に対して右側のシールド支持部材１０８を取付位置に配置した状態を示している。
【００４２】
表示装置２０は、図１３に示すように、前述したケーシング本体３１の裏面側を覆うように取り付けられる表示装置カバー９０と、この表示装置カバー９０内に収納される表示ユニット１００とよりなる。
表示ユニット１００は、図１４に示す構成要素を備える。即ち、主な構成要素を前面側から順に挙げると、クリアパネル１０１と、液晶表示パネル１０２（バックライト等含む）と、ベースカバー１０３と、シールド部材１０４と、回路基板１０５と、後面カバー１０６と、を備える。また表示ユニット１００は、液晶表示パネル１０２やベースカバー１０３に対してシールド部材１０４を支持するシールド支持部材１０７，１０８を備える。
なお、液晶表示パネル１０２の前面に表示部２１が形成されている。
【００４３】
クリアパネル１０１は、透明な合成樹脂よりなる薄板であり、液晶表示パネル１０２の前面の表示部２１を覆い保護する部材である。このクリアパネル１０１は、液晶表示パネル１０２を収納したベースカバー１０３の前面開口を塞ぐように、ベースカバー１０３に対して取り付けられる。
液晶表示パネル１０２の前面の４隅位置には、図１５に示すように、取付ネジ（図示省略）をそれぞれ挿入するための貫通穴１０９，１１０が形成されている。
【００４４】
ベースカバー１０３は、前面が全体的に開口した箱型の部材であり、液晶表示パネル１０２の周囲及び後面を覆う部材である。このベースカバー１０３の後面側には、シールド部材１０４の一部（後述する貫通穴１１７，１１８や配線用開口１１９が形成された部分を含む）を前面側に露出させる開口部１１１が形成されている。また、このベースカバー１０３内の右隅には、シールド支持部材１０８の変形を抑制するリブ１１２，１１３が周壁から所定距離隔てて内側に形成されている。また、このベースカバー１０３内の四隅位置には、前記取付ネジ（図示省略）をねじ込むネジ穴が形成された取付ボス１１４，１１５が形成されている。
【００４５】
シールド部材１０４は、鋼板などの導電性材料よりなるもので、液晶表示パネル１０２の後面を覆うように設けられて、液晶表示パネル１０２と回路基板１０５や装置外部との間において、ノイズとしての電磁波を遮蔽するものである。このシールド部材１０４の左右両側には、図１５や図１６に示すように、取付用のネジ１１６（図１５に示す）を挿入するための貫通穴１１７，１１８がそれぞれ形成されている。また、このシールド部材１０４の左上側には、回路基板１０５と液晶表示パネル１０２の間の配線を通す配線用開口１１９が形成されている。
【００４６】
回路基板１０５は、液晶表示パネル１０２を制御するための回路が形成された基板であり、シールド部材１０４の裏側に固定される。
後面カバー１０６は、回路基板１０５やシールド部材１０４の後面側を覆うようにして、ベースカバー１０３の後面側に取り付けられる部材である。
【００４７】
シールド支持部材１０７，１０８は、シールド部材１０４と同様に、鋼板などの導電性材料よりなるものである。このシールド支持部材１０７，１０８は、液晶表示パネル１０２の側端面に対向配置される縦長の帯板状部１０７ａ，１０８ａと、この帯板状部１０７ａ，１０８ａの上下両端の前縁から横方向内側に伸びる突片部１０７ｂ，１０８ｂと、帯板状部１０７ａ，１０８ａの上下中程の後縁から横方向内側に伸びる帯板状部１０７ｃ，１０８ｃと、を備える。帯板状部１０７ｃ，１０８ｃの先端部は、後方に一段さがるように断面Ｌ字形に折れ曲がっており、この先端部には、前述のネジ１１６がねじ込まれるネジ穴１２１，１２２がそれぞれ形成されている。また、突片部１０７ｂ，１０８ｂには、前記取付ネジ（図示省略）を挿入する貫通穴（符号省略）が設けられている。
なお、帯板状部１０７ｃ，１０８ｃの先端部は、組立て状態において、シールド部材１０４の前面に当接する構成となっている。また組立て状態において、帯板状部１０８ａの後縁が、リブ１１２，１１３とベースカバー１０３の周壁との間に挿通される構成となっている（図１６参照）。
【００４８】
なお、シールド支持部材１０７，１０８は、次のようにして取り付けられる。先ず、液晶表示パネル１０２の両側方を突片部１０７ｂ、１０８ｂと帯板状部１０７ｃ、１０８ｃとで挟み込むように取り付け、前記取付ネジ（図示省略）を、まずシールド支持部材１０７，１０８の突片部１０７ｂ，１０８ｂの貫通穴に挿入し、次いで液晶表示パネル１０２の貫通穴１０９，１１０に挿入し、さらにベースカバー１０３内の取付ボス１１４，１１５のネジ穴にねじ込む。これによって、液晶表示パネル１０２がベースカバー１０３に固定され、さらにシールド支持部材１０７，１０８が液晶表示パネル１０２に固定される。次に、ネジ１１６を、シールド部材１０４の貫通穴１１７，１１８に挿入し、シールド支持部材１０７，１０８のネジ穴１２１，１２２にねじ込む。これによってシールド部材１０４が、シールド支持部材１０７，１０８を介して、液晶表示パネル１０２に対して所定の間隔を維持した状態で固定される。
【００４９】
ここで、ネジ１１６がねじ込まれる際、シールド支持部材１０８の帯板状部１０８ａの後縁がリブ１１２，１１３に当接し、帯板状部１０８ａの動きが制限されることによって、シールド支持部材１０８の変形が抑制される。仮にリブ１１２，１１３が無いとすると、ネジ１１６をねじ込む力によって、帯板状部１０８ｃが大きくたわんで変位する不具合が生じる恐れがあるが、このような不具合が防止される。
なお、ベースカバー１０３内の左側（シールド支持部材１０７の側）にも、リブ１１２，１１３と同様のリブを形成し、シールド支持部材１０７の上記不具合を抑制するようにしてもよい。
【００５０】
Ｅ．遊技の概要
次に、本形態例のパチンコ機で行われる遊技の概要や遊技の流れについて説明する。
まず、遊技開始当初の時点（或は遊技開始前の時点）では、客待ち状態（デモ中）となっており、表示装置２０の画面（表示部２１）には客待ち画像（動画又は静止画）が表示される。
ガイドレール２を介して遊技領域３に打込まれた遊技球が、始動口１１に入賞すると（即ち、特図の始動入賞があると）、表示部２１において特図の変動表示が行われて、変動表示ゲームが行われる。
【００５１】
そして、この変動表示ゲームの停止表示態様（変動表示により導出された特図の組合せ）が特別表示態様（例えば、「３、３、３」などのゾロ目）であれば、大当りと呼ばれる特典が遊技者に付与される。なお制御上は、例えば始動入賞があったことを条件として、大当り乱数の値が抽出記憶されて、この抽出記憶された乱数値と予め設定された判定値とが判定時に比較判定され、この比較判定結果に基づいて、予め大当りとするか否かが決定され、この決定に応じて上記変動表示ゲームが開始される。
なお、上記大当りとなった大当り状態が本発明の特別遊技状態に相当する。
また、上記変動表示ゲームの終了前には、場合によりリーチアクションと呼ばれる特別な演出（例えば、特図の２列分を同じ図柄とし、残りの１列分の図柄をゆっくり変動させる動作）が実行される。
【００５２】
上記大当り状態になると、変動入賞装置１２の大入賞口１２ａが、規定時間（例えば、３０秒）を越えない範囲内において、例えば１０個入賞までの期間だけ一時的に開放される開放動作が行われる。そしてこの開放動作は、例えば、１５ラウンドまで行われる。また、この大当たり状態では、大当たり状態を演出したり大当たりラウンド数などを遊技者に報知するための大当たり画像の表示が、表示部２１で実行される。
【００５３】
また、上記特図の変動表示ゲーム中又は大当り中に、始動口１１にさらに遊技球が入賞したときには、この場合表示部２１で特図始動記憶表示が行われて例えば４個まで記憶され、変動表示ゲーム又は大当りが終了した後に、その記憶（即ち、始動記憶）に基づいて上記特図の変動表示ゲームが繰り返されたり、客待ち状態に戻ったりする。
即ち、変動表示ゲームが大当たりで終了すれば大当たり状態に移行し、変動表示ゲームがはずれで終了し始動記憶があれば再度変動表示ゲームが実行され、変動表示ゲームがはずれで終了し始動記憶がなければ客待ち状態に戻り、大当たりが終了して始動記憶があれば再度変動表示ゲームが実行され、大当たりが終了して始動記憶がなければ客待ち状態に戻る流れとなっている。
【００５４】
一方、遊技中に、遊技球が普図始動ゲート１９を通過したときは、普図表示器１７での普図の変動表示による普図の変動表示ゲームが行われる。そして、この変動表示ゲーム結果（停止した普図）が所定の態様であれば、普図当りと呼ばれる特典が付与される。
この普図当りになると、始動入賞口１１の一対の開閉部材１１ａが逆ハの字に開いた開放状態に、例えば０．５秒程度保持される遊技が行われる。これにより、始動入賞口１１に遊技球が入賞し易くなり、その分、特図の変動表示ゲームの実施回数が増えて大当りになる可能性が増す。
また、上記普図の変動表示ゲーム中に、普図始動ゲート１９にさらに遊技球が入賞したときには、普図記憶表示器１８で普図始動記憶表示が実行されてこの場合４個まで記憶され、普図の変動表示ゲームの終了後に、その記憶に基づいて上記普図の変動表示ゲームが繰り返される。
【００５５】
そして、このような遊技の流れの中で、表示部遮蔽部材４１やオブジェクト４２は、適宜駆動されて、前述した表示部露出状態又は表示部遮蔽状態、或いはオブジェクト露出状態又はオブジェクト遮蔽状態に制御される。
例えば、通常時（リーチアクション又は大当り状態でない状態）には、図６に示す状態（表示部遮蔽部材４１は表示部露出状態、オブジェクト４２はオブジェクト遮蔽状態）として、表示部２１の全体が遊技者に見えて、オブジェクト４２が表示部遮蔽部材４１の後に隠れた状態を維持する。そして、リーチアクション又は大当り状態になると、図７に示すように表示部遮蔽部材４１を表示部遮蔽状態としたり、図８に示すようにオブジェクト４２をオブジェクト露出状態として、演出効果を高める。なお、オブジェクト４２については、例えば一方向にぐるぐる回転させ続けるといった動作をさせて、遊技の興趣向上を図ってもよい。また、表示部遮蔽部材４１が表示部露出状態にある時に、オブジェクト４２をオブジェクト露出状態としてもよい。
【００５６】
以上説明した本例の遊技機によれば、表示部遮蔽部材４１を表示部遮蔽状態に作動させて表示装置２０の表示部２１を部分的に遮蔽する演出（図７に示す）ができるのに加えて、表示部遮蔽部材４１の後方に隠れていたオブジェクト４２を、表示部遮蔽部材４１の回動軸（第１回動軸５１）とは異なる回動軸（表示部遮蔽部材４１の回動自由端側から突出するように設けられた第２回動軸５２）を中心とした回動によって表示部遮蔽部材４１から露出させるという斬新な演出（図８に示す）が可能となる。このため、従来よりも遊技の興趣を格段に向上させることができ、遊技者の興趣を充分に満足させ得る。
特に本例では、オブジェクト４２の回動可能角度が無制限とされている。即ち、オブジェクト４２を３６０°以上回動させることが可能である。このため、例えばオブジェクト４２をぐるぐる複数回一方向に回転させるといった、ダイナミックで斬新な演出も可能であり、遊技者の興趣を大きく向上できる。
【００５７】
また本例の遊技機によれば、遮蔽部材駆動源４４やオブジェクト駆動源４６の回転駆動力をギヤによって駆動対象（表示部遮蔽部材４１、或いはオブジェクト４２）に確実に伝達する構成としたから、表示部遮蔽部材４１やオブジェクト４２の動作を的確に制御できる利点がある。即ち、遮蔽部材駆動源４４の回転駆動力は、遮蔽部材主動ギヤ６８から中間ギヤ７０を介して遮蔽部材従動ギヤ６９に伝達され、遮蔽部材従動ギヤ６９から回動ベース４３へ、さらには回動ベース４３に固定された表示部遮蔽部材４１へと伝達されて、表示部遮蔽部材４１が確実に駆動され、その動作が的確に制御できる。また、オブジェクト駆動源４６の回転駆動力は、オブジェクト主動ギヤ７３から中間ギヤ７５〜７７を介してオブジェクト従動ギヤ７４に伝達され、オブジェクト従動ギヤ７４から第２回動軸５２へ、さらには第２回動軸５２に固定されたオブジェクト４２へと伝達されて、オブジェクト４２が確実に駆動され、その動作が的確に制御できる。
【００５８】
また本例の遊技機によれば、重量が比較的大きなオブジェクト駆動源４６を、回動ベース４３における第２回動軸５２よりも第１回動軸５１に近い位置に配置した。これにより、遮蔽部材駆動源４４の負荷となる慣性モーメントが軽減される。また、回動ベース４３とベース部材（右上側ベース部材３６）との間に付勢部材４８を懸架して、表示部遮蔽部材４１の回動自由端側を上方に付勢した構成となっている。このため、遮蔽部材駆動源４４の負荷トルクが相殺又は軽減されて、遮蔽部材駆動源４４の小型化や、表示部遮蔽部材４１の動作の高速化・安定化が図れる。特に付勢部材４８の作用によって、遮蔽部材駆動源４４が表示部遮蔽部材４１の回動自由端側を上方に向かって駆動する駆動トルクが軽減でき、その方向（表示部遮蔽部材４１を表示部露出状態に戻す方向）の動作の高速化等が図れる。
【００５９】
また本例の遊技機によれば、オブジェクト４２が磁力によってオブジェクト遮蔽状態の定位置に保持される構成とした。このため、オブジェクト４２を駆動するギヤ（オブジェクト主動ギヤ７３やオブジェクト従動ギヤ７４さらには各中間ギヤ７５〜７７）のバックラッシによる
オブジェクト４２の垂れ下がりを、オブジェクト４２の動作を規制しないで防止できる。
なお、単純にオブジェクト駆動源４６の回転制御によってオブジェクト４２の位置制御を行うだけでは、上記ギヤのバックラッシ分だけオブジェクト４２の位置にばらつきが生じることになり、オブジェクト遮蔽状態の回転位置にオブジェクト駆動源４６を制御しているにもかかわらず、場合によっては重力によってオブジェクト４２がオブジェクト遮蔽状態の定位置から下方にずれてしまう（表示部２１を一部遮蔽してしまう）恐れがあり、このような状態が上記垂れ下がりである。本例であると、磁石６３，８０が引き合う磁力によって、オブジェクト４２がオブジェクト遮蔽状態の定位置に確実に保持されるため、上記垂れ下がりが生じない。
また、例えばオブジェクト４２に当接してオブジェクト４２の垂れ下がりを防止するストッパーを設けた場合には、オブジェクト４２の動作を規制することになり、例えばオブジェクト４２を３６０°以上回動自在とすることが困難になる。しかし本例であると、上記ストッパーのような手段ではなく、磁力によって非接触で（即ち、回動方向に当接しない構成で）オブジェクト４２を上記定位置に保持する構成であるため、オブジェクト４２の動作を規制せず、本例のようにオブジェクト４２を３６０°以上回動させることも容易に可能である。
【００６０】
なお、本発明は上述した形態例に限られず、各種の変形や応用があり得る。
例えば、表示部遮蔽部材４１やオブジェクト４２の動作は、大当り状態等の演出に限られず、例えば、確率変動状態（大当り確率が高められた状態）の演出、大当り予告、確率変動予告などのために実行してもよい。
【００６１】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００６２】
【図１】パチンコ機の遊技盤の前面図である。
【図２】パチンコ機の遊技盤の前面側斜視図である。
【図３】遊技盤からセンターケースを取り外した状態を示す斜視図である。
【図４】センターケースを外した遊技盤から表示装置等を外した状態を示す斜視図である。
【図５】表示装置とケーシングを示す斜視図である。
【図６】ケーシング右上側ユニットの表示部露出状態を示す正面図である。
【図７】ケーシング右上側ユニットの表示部遮蔽状態を示す正面図である。
【図８】ケーシング右上側ユニットのオブジェクト露出状態を示す正面図である。
【図９】ケーシング右上側ユニットの表示部露出状態を示す斜視図である。
【図１０】ケーシング右上側ユニットのベース部材等を示す斜視図である。
【図１１】表示部遮蔽部材等の分解斜視図である。
【図１２】回動ベースやオブジェクト駆動機構の分解斜視図である。
【図１３】表示装置の表示ユニットを取り外した状態を示す斜視図である。
【図１４】表示ユニットの分解斜視図である。
【図１５】表示ユニットの液晶表示パネル等を示す分解斜視図である。
【図１６】表示ユニットのベースカバー等を示す分解斜視図である。
【符号の説明】
【００６３】
１  遊技盤
３  遊技領域
２０  表示装置
２１  表示部
３０  ケーシング
３３  表示用開口部（開口部）
３６  右上側ベース部材（ベース部材）
４１  表示部遮蔽部材
４２  オブジェクト
４３  回動ベース
４４  遮蔽部材駆動源
４６  オブジェクト駆動源
４８  付勢部材
５１  第１回動軸
５２  第２回動軸
６３，８０  磁石
６８  遮蔽部材主動ギヤ
６９  遮蔽部材従動ギヤ
７０  中間ギヤ
７３  オブジェクト主動ギヤ
７４  オブジェクト従動ギヤ
７５  第１中間ギヤ
７６  第２中間ギヤ
７７  第３中間ギヤ
【図１】
2007125122.tif 000003
【図２】
2007125122.tif 000004
【図３】
2007125122.tif 000005
【図４】
2007125122.tif 000006
【図５】
2007125122.tif 000007
【図６】
2007125122.tif 000008
【図７】
2007125122.tif 000009
【図８】
2007125122.tif 000010
【図９】
2007125122.tif 000011
【図１０】
2007125122.tif 000012
【図１１】
2007125122.tif 000013
【図１２】
2007125122.tif 000014
【図１３】
2007125122.tif 000015
【図１４】
2007125122.tif 000016
【図１５】
2007125122.tif 000017
【図１６】
2007125122.tif 000018